(57)【要約】【課題】耳に痛みが生じず、顔面との間に隙間ができず、ウイルスや微粉の人体への侵入を防止するマスクを提供する。【解決手段】マスク部１と、該マスク部に接続された帯状のバンドと、該バンドにおけるマスク側に近い基端部に設けた基端側止着部と、自由端部に設けた自由端側止着部からなる止着部を有しており、バンド１０が、首または後頭部を一回りし、さらに顔面にも巻付けうる長さを有している。バンド１０における顔面に巻付けうる部位に、スリット３が形成されている。スリット３より上の上細帯８がマスクの上部を押え、かつ頬との隙間を塞ぎ、スリットより下の下細帯９が顎を押え、顎との間の隙間を塞ぐので、ウイルスや微粉の侵入防止効果が高い。しかも、人の口の前面は押えないので、息苦しくなることはない。しかも、バンドの締付け力は着用者が自分で自在に調整できるので、最適の締付け力が得られる。【選択図】図１
2011092348.tif 000002
【特許請求の範囲】
【請求項１】
マスク部と、
該マスク部に接続された帯状のバンドと、
該バンドにおけるマスク側に近い基端部に設けた基端側止着部と、自由端部に設けた自由端側止着部からなる止着部を有しており、
前記バンドは、少なくとも首または後頭部を一回り巻き付ける長さを有している
ことを特徴とするマスク。
【請求項２】
前記バンドが、首または後頭部を一回りし、さらに顔面にも巻付けうる長さを有している
ことを特徴とする請求項１記載のマスク。
【請求項３】
前記バンドにおける顔面に巻付けうる部位に、人の口の前を避けて前記マスクの上部と下部を押えるように長手方向に沿って形成されたスリットにより分離された上細帯と下細帯が形成されている
ことを特徴とする請求項２記載のマスク。
【請求項４】
前記バンドが、その長手方向に伸縮する伸縮性素材で作られている
ことを特徴とする請求項１記載のマスク。
【請求項５】
前記止着部が、着脱自在かつ繰返し使用可能な面状ファスナ−で形成されている
ことを特徴とする請求項１記載のマスク。
【請求項６】
前記止着部が、着脱自在に接着できる接着剤層で形成されている
ことを特徴とする請求項１記載のマスク。
【発明の詳細な説明】
【技術分野】
【０００１】
本発明は、マスクに関する。さらに詳しくは、ウイルスや微粉の侵入を阻止しやすいマスクに関する。
【背景技術】
【０００２】
従来からあるマスクは、耳かけ用の紐を耳にかけて使用するもの（特許文献１）がほとんどである。
しかるに、耳かけタイプは、長時間使用したり、隙間を無くすように強く締めると耳に痛みが生じ、不快感を伴うことが多い。
【０００３】
また、マスクには顔面との隙間を生じないようにするため立体的に成形したものがある（特許文献２）。
しかし、立体的に成形したマスクであっても、頬と鼻との間は谷間になった隙間ができやすく、ウイルスや微粉などが入りやすい。とくに、頬骨の出っ張った人や頬のこけた人には、隙間が生じやすいので、耳かけを強く締めても、隙間が無くならないばかりか、耳の痛みが更にひどくなるという欠点がある。
【先行技術文献】
【特許文献】
【０００４】
【特許文献１】特開２００５−３４６１８号公報
【特許文献２】特開２００７−５４３８１号公報
【発明の概要】
【発明が解決しようとする課題】
【０００５】
本発明は上記事情に鑑み、耳に痛みが生じず、締付け力を自在に調整でき、顔面との間に隙間ができず、ウイルスや微粉の人体への侵入を防止するマスクを提供することを目的とする。
【課題を解決するための手段】
【０００６】
第１発明のマスクは、マスク部と、該マスク部に接続された帯状のバンドと、該バンドにおけるマスク側に近い基端部に設けた基端側止着部と、自由端部に設けた自由端側止着部からなる止着部を有しており、前記バンドは、少なくとも首または後頭部を一回り巻き付ける長さを有していることを特徴とする。
第２発明のマスクは、第１発明において、前記バンドが、首または後頭部を一回りし、さらに顔面にも巻付けうる長さを有していることを特徴とする。
第３発明のマスクは、第２発明において、前記バンドにおける顔面に巻付けうる部位に、人の口の前を避けて前記マスクの上部と下部を押えるように長手方向に沿って形成されたスリットにより分離された上細帯と下細帯が形成されていることを特徴とする。
第４発明のマスクは、第１発明において、前記バンドが、その長手方向に伸縮する伸縮性素材で作られていることを特徴とする。
第５発明のマスクは、第１発明において、前記止着部が、着脱自在かつ繰返し使用可能な面状ファスナ−で形成されていることを特徴とする。
第６発明のマスクは、第１発明において、前記止着部が、着脱自在に接着できる接着剤層で形成されていることを特徴とする。
【発明の効果】
【０００７】
第１発明によれば、帯状のバンドを首または後頭部に一巻きしてマスクを顔面に固定できるので、耳を傷めることはない。また、バンドの締付け力は着用者が自分で自在に調整できるので、最適の締付け力が得られる。
第２発明によれば、帯状のバンドを首または後頭部に巻き、さらに顔面にも巻き付けるので、マスクをしっかり固定でき、かつマスクと頬との間の隙間も塞ぐことができる。よって、ウイルスや微粉の侵入防止効果が高い。
第３発明によれば、バンドに形成されたスリットより上の上細帯がマスクの上部を押えて頬との隙間を塞ぎ、スリットより下の下細帯が顎を押えて、顎との間の隙間を塞ぐので、ウイルスや微粉の侵入防止効果が高い。しかも、人の口の前面は押えないので、息苦しくなることはない。
第４発明によれば、バンドが伸び縮みするので、マスク部を顔面にしっかり押えつけ保持することができる。
第５発明によれば、面状ファスナ−を着脱することで、マスクの付け外しを容易に行え、かつ繰返し使用もできる。
第６発明によれば、接着剤層で接着したり剥離することで、マスクの付け外しを用意に行うことができる。
【図面の簡単な説明】
【０００８】
【図１】本発明の第１実施形態に係るマスクの形状説明図である。
【図２】第１実施形態のマスクの使用状態説明図である。
【図３】本発明の第２実施形態に係るマスクの形状説明図である。
【図４】本発明の第３実施形態に係るマスクの形状説明図である。
【図５】第３実施形態のマスクの使用状態説明図である。
【図６】本発明の第４実施形態に係るマスクの形状説明図である。
【図７】本発明の第５実施形態に係るマスクの形状説明図である。
【図８】第５実施形態のマスクの使用状態説明図である。
【発明を実施するための形態】
【０００９】
つぎに、本発明の各実施形態を図面に基づき説明する。
以下に第１〜第５実施形態のマスクを説明するが、これらは例示であって、本発明の技術思想を内包する限り、例示以外のものでも本発明に含まれるものである。
【００１０】
（第１実施形態）
図１に示すように、第１実施形態のマスクは、マスク部１とバンド１０と止着部２（２ａ，２ｂ）とからなる。
マスク部１は、不織布やガーゼその他の布からなり、平面的に裁断されたものでも、立体的に裁断されたものでもよい。本実施形態では、裁断は平面的であるが、縦形の２本のマチ１ａを付けて立体的に構成している。また、マスク部１は複層構造にし、内部にウイルスや微粉をからめとる防菌素材を内蔵したものでもよい。
【００１１】
バンド１０は、マスク部１の片側から長く延びた帯状の部材である。
バンド１０の素材はマスク部１と同じ素材を用いると、一体的に製造できるので、好ましく、たとえば不織布などが用いられる。
【００１２】
バンド１０の長さは、マスク部１を口に当てた状態で首あるいは後頭部を一巻きし、かつマスクを押えて、さらに頬まで届く長さである。
つまり、バンド１０の基部（すなわちマスク部１につながる部分）から自由端までの長さが、バンド１０が首と後頭部を一巻きして、さらに自由端が基端部に届く長さである。
【００１３】
止着部２は、基端部側止着部２ａと自由端側止着部２ｂとからなる。両止着部２ａ，２ｂとも面状ファスナ（商品名「マジックテープ（登録商標）」または「ベルクロ」など）を縫い付けたものである。
【００１４】
バンド１０には、その途中から自由端に向けてスリット３が形成されている。スリット３はバンド１０の長手方向に沿っており、この部分のバンド１０を上細帯８と下細帯９に分けている。
この上細帯８と下細帯９は、装着時に人の口の上と下に巻き付ける部分である。
【００１５】
図２に基づきマスクＡの使用方法を説明する。マスク部１を顔面の口に当て、バンド１０を首の後または後頭部に回し掛け、さらにマスク部１の上から押えるように回し掛けて、自由端側止着部２ｂを基端側止着部２ａに押し当てて止める。このとき、上細帯８はマスク部１の上部を押え、下細帯９はマスク部１の下部を押えるので、マスク部１と顔面との間に隙間が生じず、ウイルスや微粉が侵入することはない。
また、上細帯８と下細帯９は口の前を避けているので、息苦しくなることはない。
さらに、バンド１０は耳の下を通り、耳を押えることもなく、耳の付け根に強く当ることもないので、バンド１０をきつく締めても面圧が低く、耳の痛みも生じない。
しかも、バンドの締付け力は着用者が自分で自在に調整できるので、最適の締付け力が得られる。
【００１６】
（第２実施形態）
図３に基づき第２実施形態のマスクを説明する。
本実施形態のマスクは、マスク部１とバンド１０と止着部４とからなる。
止着部４は、第１実施形態と異なり接着剤層で構成されている。すなわち、基端側止着部４ａも自由端側止着部４ｂも、接着剤（たとえば、ホットメルト接着剤など）を塗布したもので、使用前にはその上面に剥離紙を積層して保護するようにしている。用時には、剥離紙を剥がし取り、接着剤層同士を圧接すると、簡単には外れない程度に止着できる。
その余の構成は、第１実施形態と同様であるので、同一部材に同一符号を付して説明を省略する。
【００１７】
（第３実施形態）
図４に基づき第３実施形態のマスクを説明する。
本実施形態のマスクは、マスク部１とバンド１０と止着部２とからなる。バンド１０は伸縮性を有する素材であり、たとえば、伸縮性不織布などが用いられている。このように、伸縮性のあるバンド１０であると、バンド１０が伸び縮みするので、マスク部１を顔面にしっかり押えつけ保持することができる。
【００１８】
バンド１０に入れられたスリット５は短いもので、バンド１０の自由端に至らず、両端が閉じたものである。このため、上細帯８と下細帯９が自由端側で離れることなく、一体となっている。このような形状であっても、口の前でマスク部１の上部と下部を押えることができる。
【００１９】
止着部２は、面状ファスナを用いた、第１実施形態と同様である。
その余の構成は、第１実施形態と同様であるので、同一部材に同一符号を付して説明を省略する。
【００２０】
図５に基づきマスクＡの使用方法を説明する。マスク部１を顔面の口に当て、バンド１０を首の後または後頭部に回し掛け、さらにマスク部１の上から押えるように回し掛けて、自由端側止着部２ｂを基端側止着部２ａに押し当てて止める。このとき、上細帯８はマスク部１の上部を押え、下細帯９はマスク部１の下部を押えるので、マスク部１と顔面との間に隙間が生じず、ウイルスや微粉が侵入することはない。しかも、バンドの締付け力は着用者が自分で自在に調整できるので、最適の締付け力が得られる。
また、上細帯８と下細帯９は口の前を避けているので、息苦しくなることはない。
さらに、バンド１０は耳の下を通り、耳を押えることもなく、耳の付け根に強く当ることもないので、バンド１０をきつく締めても面圧が低く、耳の痛みも生じない。
【００２１】
（第４実施形態）
図６に基づき第４実施形態のマスクを説明する。
本実施形態は、第３実施形態において、止着部４として接着剤型を用いたものである。
その余の構成は、第３実施形態と同様であるので、同一部材に同一符号を付して説明を省略する。
【００２２】
（第５実施形態）
図７に基づき第５実施形態のマスクを説明する。
本実施形態のマスクは、マスク部１とバンド部１１，１２と止着部２（２ａ，２ｂ）とからなる。
マスク部１は第１実施形態と同じである。
ハンドは、マスク部１の片側の短いバンド部１１と反対側から延びる長いバンド部１２からなる。バンド部１１には面状ファスナ型の基端側止着部２ａが設けられており、バンド部１２の自由端にも面上ファスナ型の自由端側止着部２ｂが設けられている。
なお、止着部２は接着剤型であってもよい。また、バンド部１１，１２は伸縮性があってもなくてもよい。
その余の構成は、第１実施形態と同様であるので、同一部材に同一符号を付して説明を省略する。
【００２３】
図８に基づきマスクＡの使用方法を説明する。マスク部１を顔面の口に当て、バンド１０を首の後または後頭部に回し掛け、自由端側止着部２ｂを基端側止着部２ａに押し当てて止める。このとき、マスク部１はマチ１ａによって膨らむので、マスク部１の上縁と顔面との間に隙間が生じず、ウイルスや微粉が侵入することはない。
また、バンド１０は耳の下を通り、耳を押えることもなく、耳の付け根に強く当ることもないので、バンド１０をきつく締めても面圧が低く、耳の痛みも生じない。しかも、バンドの締付け力は着用者が自分で自在に調整できるので、最適の締付け力が得られる。
【符号の説明】
【００２４】
１    マスク部
２    止着部
３    スリット
４    止着部
５    スリット
８    上細帯
９    下細帯
１０    バンド
【図１】
2011092348.tif 000003
【図２】
2011092348.tif 000004
【図３】
2011092348.tif 000005
【図４】
2011092348.tif 000006
【図５】
2011092348.tif 000007
【図６】
2011092348.tif 000008
【図７】
2011092348.tif 000009
【図８】
2011092348.tif 000010